(57)【特許請求の範囲】
【請求項１】
沈澱池内に傾斜板又は傾斜管沈降装置を配置し、傾斜板又は傾斜管沈降装置の上部に集水トラフ、下部に水が流入する流入室を配置すると共に、該流入室底部に堆積した汚泥を排出する汚泥排出機構を備え、該流入室に流入した水が前記傾斜板又は傾斜管沈降装置を通って前記集水トラフに流出するように構成した沈澱池設備において、
前記流入室内の前記傾斜板又は傾斜管沈降装置の下方に該傾斜板又は傾斜管沈降装置に流入する水を整流し且つ汚泥を排出する整流排泥装置を設け、
前記整流排泥装置は、平面状に互いに隣接して配列した多数の整流排泥セルを備え、
前記各整流排泥セルは平断面形状が多角形状で、上端から下方所定位置までの平断面が同じ形状で且つ同じ断面積であり、該断面所定位置から下方はその断面が徐々に縮小するように構成され、下端開口部が水の流入口、上端開口部が水の流出口となっていることを特徴とする沈澱池設備。
【請求項２】
請求項１に記載の沈澱池設備において、
前記傾斜板又は傾斜管沈降装置は前記沈澱池の上下方向所定位置に設置された架台に搭載設置されており、
前記整流排泥装置はその上端が前記架台に前記傾斜板又は傾斜沈降装置の下方に位置するように取り付けられていることを特徴とする沈澱池設備。
【請求項３】
請求項１に記載の沈澱池設備において、
前記整流排泥装置は、その上端が前記傾斜板又は傾斜管沈降装置の下端に連結し一体的に設けられていることを特徴とする沈澱池設備。
【発明の詳細な説明】
【技術分野】
【０００１】
本発明は、浄水場で使用される沈殿池設備に関し、特に沈殿池設備の沈殿池に配置された傾斜板又は傾斜管沈降装置に流入する水の流速を均一化して、沈殿池内のフロックのキャリオーバを防止するようにした沈殿池設備に関するものである。
【背景技術】
【０００２】
従来、この種の沈殿池設備は図１に示すように、沈殿池１００内に傾斜板又は傾斜管沈降装置１０１を配置し、傾斜板又は傾斜管沈降装置１０１の上部に集水トラフ１０２、下部に水（濁っている水）の流入する流入室１０３を配置している。沈殿池１００の側部には整流壁１０４を配置し、該整流壁１０４を通して水Ｗが整流されて流入するようになっている。該流入室１０３に流入した水は傾斜板又は傾斜管沈降装置１０１の下端流入部に流入する。傾斜板又は傾斜管沈降装置１０１内においては、流入水は固液分離されて、水は上昇して集水トラフ１０２に流れ込む。流水中の汚泥は傾斜板又は傾斜管沈降装置１０１内で分離され、傾斜面を滑り落ち、流入室１０３を沈降し、該流入室１０３の底部に堆積する。堆積したフロック、即ち汚泥は汚泥掻寄機１０８で掻き寄せられ排泥ピット１０５に集められる。排泥弁１０６を開くことにより、排泥ピット１０５内の汚泥は沈殿池１００の外に排出されるようになっている。なお、図１の１０７は、汚泥掻寄機１０８を駆動する駆動装置である。
【非特許文献１】水道施設設計指針２０００  １９７ページ  平成１２年３月３１日発行  社団法人日本水道協会
【発明の開示】
【発明が解決しようとする課題】
【０００３】
図２に示すように水Ｗは整流壁１０４を通して均一な流速の整流水ｗとなって流入室１０３に流入するが、傾斜板又は傾斜管沈降装置１０１内においては、沈殿池１００に流入する水Ｗの高濁度による濁度密度流、沈殿池１００内の水温差による温度密度流によって傾斜板又は傾斜管沈降装置１０１内の水の流速が不均一となり（例えば図２のＡ部分で流速が速くなる）、沈殿池１００内のフロックがキャリオーバして後段のろ過池（図示せず）に流出することがある。
【０００４】
本発明は上述の点に鑑みてなされたもので、傾斜板又は傾斜管沈降装置内に流入する水の流速を均一化して、濁度密度、温度密度流を防止し、沈澱池内のフロックのキャリオーバを防止できる沈殿池設備を提供することを目的とする。
【課題を解決するための手段】
【０００５】
上記課題を解決するため請求項１に記載の発明は、沈澱池内に傾斜板又は傾斜管沈降装置を配置し、傾斜板又は傾斜管沈降装置の上部に集水トラフ、下部に水が流入する流入室を配置すると共に、該流入室底部に堆積した汚泥を排出する汚泥排出機構を備え、該流入室に流入した水が傾斜板又は傾斜管沈降装置を通って集水トラフに流出するように構成した沈澱池設備において、流入室内の傾斜板又は傾斜管沈降装置の下方に該傾斜板又は傾斜管沈降装置に流入する水を整流し且つ汚泥を排出する整流排泥装置を設け、整流排泥装置は、平面状に互いに隣接して配列した多数の整流排泥セルを備え、各整流排泥セルは平断面形状が多角形状で、上端から下方所定位置までの平断面が同じ形状で且つ同じ断面積であり、該断面所定位置から下方はその断面が徐々に縮小するように構成され、下端開口部が水の流入口、上端開口部が水の流出口となっていることを特徴とする。
【０００７】
請求項２に記載の発明は、請求項１に記載の沈澱池設備において、傾斜板又は傾斜管沈降装置は沈澱池の上下方向所定位置に設置された架台に搭載設置されており、整流排泥装置はその上端が架台に傾斜板又は傾斜沈降装置の下方に位置するように取り付けられていることを特徴とする。
【０００８】
請求項３に記載の発明は、請求項１に記載の発明において、整流排泥装置は、その上端が傾斜板又は傾斜管沈降装置の下端に連結し一体的に設けられていることを特徴とする。
【発明の効果】
【０００９】
請求項１に記載の発明によれば、各整流排泥セルは平断面形状が多角形状で、上端から下方所定位置までの平断面が同じ形状で且つ同じ断面積であり、該断面所定位置から下方はその断面が徐々に縮小するように構成され、下端開口部が水の流入口、上端開口部が水の流出口となっているので、各整流排泥セルの断面縮小部の下端の流入口に流入する噴流水は断面積が徐々に大きくなっていく部分を通り、断面形状及び断面積が同一部分を通る間に流速が均一化され、傾斜板又は斜管沈降装置下端の流入部に流入する水の流速は均一化され、濁度密度流、温度密度流を防止して沈澱池内のフロックのキャリオーバを防止できる沈澱池設備を提供できる。また、整流排泥装置の各整流排泥セルの平断面形状は正多角形であることが好ましく、さらに矩形状又は正六角形であることがより好ましい。矩形状（正方形）又は正六角形の形状を採用することで、沈澱設備への整流排泥セルの設置が容易になり、また、流入した水の流速がより均一化されやすいからである。
【００１１】
請求項２に記載の発明によれば、整流排泥装置を傾斜板又は傾斜管沈降装置が搭載されている架台に該傾斜板又は傾斜管沈降装置の下方に位置するように取り付けたので、傾斜板又は傾斜管沈降装置を架台に搭載させた既存の沈殿池設備を本発明に係る沈殿池設備に容易に改造することができる。
【００１２】
請求項３に記載の発明によれば、整流排泥装置は該傾斜板又は傾斜管沈降装置の下端に一体的に連結されて設けられているので、整流排泥装置と該傾斜板又は傾斜管沈降装置は一体となるから、沈殿池設備の沈殿池への設置が容易となる。
【発明を実施するための最良の形態】
【００１３】
以下、本発明の実施の形態例を図面に基いて説明する。図３及び図４は本発明に係る沈殿池設備の沈殿池の要部を示す図で、図３は沈殿池の要部を示す側断面図、図４は図３のＢ−Ｂ平断面図である。沈殿池１０内に傾斜板又は傾斜管沈降装置１１を配置し、傾斜板又は傾斜管沈降装置１１の上部に集水トラフ１２、下部に水（濁水）が流入する流入室１３を配置している点は、図１の沈殿池設備と同一である。ここでは、流入室１３内の傾斜板又は傾斜管沈降装置１１の下方に該傾斜板又は傾斜管沈降装置１１に流入する水を整流し且つ汚泥を排出する整流排泥装置１４を設けている。なお、整流壁、汚泥掻寄機、排泥ピット等は図１と略同一であるから、その図示は省略する。
【００１４】
整流排泥装置１４は互い隣接して平面状に配列した多数の整流排泥セル１５を備え、各整流排泥セル１５は図５及び図６に示すように、平断面形状が矩形状（正方形）で、上端から下方所定位置まで（上端から下方寸法Ｌ4-1まで）はその平断面が同じ矩形状で且つその断面積も同じである。該所定位置から下端まで（寸法Ｌ4-1の下端から寸法Ｌ4-2まで）その断面が徐々に収縮する収縮部（傾斜部１５ｃ）ように構成され、その内面が傾斜面をなしている。即ち、各整流排泥セル１５から所定位置までは平断面が矩形状で且つ断面積が同一で、所定位置から下端までが平断面が矩形状で断面積が徐々に収縮するように構成されている。そして整流排泥セル１５の下端は開口し水の流入口１５ａとなっており、上端は同じく開口し水の流出口１５ｂとなっている。ここで、流入口１５ａから流入する水の噴流を減衰させるためには、開口面積率（流出口１５ｂに対する流入口１５ａ）を５％〜１０％程度とするか、または、流入口１５ａへの流入速度を５００ｍｍ／ｍｉｎ〜２００ｍｍ／ｍｉｎ程度とするのか好ましい。
【００１５】
各整流排泥セル１５は例えば樹脂材で形成されている。複数個の整流排泥セル１５を吊下げ用ワイヤ１６で縛り、傾斜板又は傾斜管沈降装置１１を設置している架台１７に吊り下げて、整流排泥装置１４の上端、即ち、各整流排泥セル１５の上端開口の流出口１５ｂが傾斜板又は傾斜管沈降装置１１の下方に位置するように取り付ける。これにより、既存の沈殿池設備の沈殿池１０の流入室１３内に整流排泥装置１４を配置することが容易となる。即ち、既存の傾斜板又は傾斜管沈降装置１１が架台１７に設置されている構成の沈殿池設備を本発明に係る沈殿池設備に改造することが容易となる。また、傾斜板又は傾斜管沈降装置１１上端から集水トラフ１２までの寸法Ｌ1、傾斜板又は傾斜管沈降装置１１の厚さ寸法Ｌ2、傾斜板又は傾斜管沈降装置１１下端から整流排泥装置１４上端までの寸法Ｌ3、整流排泥装置１４の厚さ寸法Ｌ4は、流速の均一化、フロックの分離、沈降効率等を考慮して任意に設定できるが、ここではＬ1＝６００ｍｍ、Ｌ2＝８００ｍｍ、Ｌ3＝３００ｍｍ、Ｌ4＝５００ｍｍとした。  
【００１６】
上記のように互い隣接して平面状に配列した多数の整流排泥セル１５で構成された整流排泥装置１４において、図６に示すように、各整流排泥セル１５の流入口１５ａから流入した水ｗは上向に流れる。そして断面積が大きくなった断面拡張部で流速が均一化され、傾斜板又は傾斜管沈降装置１１へと流入する。流入する水と共に流入してくるフロック（汚泥）ｆは整流排泥セル１５内で沈降し、下部傾斜部分１５ｃに堆積し、徐々に落下していく。また、傾斜板又は傾斜管沈降装置１１から落下するフロックも整流排泥セル１５内を沈降し、下部傾斜部分１５ｃに沈降して堆積し徐々に落下していく。この下部傾斜部分１５ｃの傾斜角度θは安息角度に近い角度、即ち５０°〜７０°好ましくは５５°〜６５°、より好ましくは６０°とするのがよい。また、整流排泥セル１５の高さ幅寸法は流入口（下端開口）１５ａから流入する水の噴流が減衰するのに要する距離に設定する。ここでは高さ寸法Ｌ4＝５００ｍｍとし、断面拡張部の高さ寸法Ｌ4-1＝２００ｍｍ、断面収縮部の高さ寸法幅寸法Ｌ4-2＝３００ｍｍ、流出口（上端開口）１５ｂの幅寸法Ｌ5＝５００ｍｍ、流入口（下端開口）１５ａの幅寸法Ｌ6＝１５０ｍｍとした。
【００１７】
なお、上記例では、整流排泥装置１４を傾斜板又は傾斜管沈降装置１１とは別々に製造し、複数個の整流排泥セル１５からなる整流排泥装置１４を吊下げ用ワイヤ１６で傾斜板又は傾斜管沈降装置１１を設置している架台１７に吊り下げて取り付ける例を示したが、これに限定されるものではなく、例えば図７に示すように整流排泥装置１４と傾斜板又は傾斜管沈降装置１１を一体的に製造し、これを沈殿池に設置するようにしてもよい。これにより、傾斜板又は傾斜管沈降装置１１と整流排泥装置１４は一体となっているから、沈殿池に設置するのが容易となる。
【００１８】
また、整流排泥セル１５の形状も平断面矩形に限定されるものではなく、例えば図８（ａ）、（ｂ）にその平面、側面を示すように、平断面が正六角形で下部に断面が収縮した傾斜部１５ｃを形成し、下端開口部を流入口１５ａ、上端開口部を流出口１５ｂとした整流排泥セル１５を用い、この整流排泥セル１５を図９（図３のＢ−Ｂ断面に相当）に示すように、多数互い隣接させて平面状に配列して整流排泥装置１４を構成してもよい。  
【００１９】
以上、本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２０】
【図１】従来の沈殿池設備の構成例を示す図である。
【図２】従来の沈殿池設備の水の流れ状態を示す図である。
【図３】本発明に係る沈殿池設備の要部構成例を示す図である。
【図４】図３のＢ−Ｂ断面図である。
【図５】本発明に係る沈殿池設備の一部を示す図である。
【図６】本発明に係る沈殿池設備の整流排泥装置の整流排泥セルの水及びフロックの動きを説明するための図である。
【図７】本発明に係る沈殿池設備の傾斜板又は傾斜管沈降装置及び整流排泥装置の構成例を示す図である。
【図８】本発明に係る沈殿池設備の整流排泥装置の整流排泥セルの構成例を示す図である。
【図９】本発明に係る沈殿池設備の整流排泥装置の平面構成例を示す図である。
【符号の説明】
【００２１】
１０      沈殿池
１１      傾斜板又は傾斜管沈降装置    
１２      集水トラフ    
１３      流入室    
１４      整流排泥装置
１５      整流排泥セル
１６      吊り下げ用ワイヤ
１７      架台    
【図１】
0004537917.tif 000002
【図２】
0004537917.tif 000003
【図３】
0004537917.tif 000004
【図４】
0004537917.tif 000005
【図５】
0004537917.tif 000006
【図６】
0004537917.tif 000007
【図７】
0004537917.tif 000008
【図８】
0004537917.tif 000009
【図９】
0004537917.tif 000010